(57)【要約】【課題】  オルタネータ用としてもスタータ用としても優れた性能を得る。【解決手段】  ローラクラッチ３を構成する各ローラ７を設置したクラッチ内部空間３４にグリースを封入する。このグリースの基油を、芳香族エステル又はチオエーテルを含有したものとする。又、この芳香族エステル又はチオエーテルを、基油の全量に対して３０質量％以上含有すると共に、ウレア化合物から成る増ちょう剤を、グリース全量に対し５〜３５質量％含有する。サポート軸受４の軸受内部空間３５内に、上記グリースと同じグリースを封入する。【選択図】  図１
2005003197.tif 000002
【特許請求の範囲】
【請求項１】
内径側部材と、この内径側部材の周囲にこの内径側部材と同心に配置された筒状の外径側部材と、これら内径側部材の外周面と外径側部材の内周面との間に設けられ、この外径側部材が上記内径側部材に対し所定方向に相対回転する傾向となる場合にのみ、これら外径側部材と内径側部材とが繋った状態となる一方向クラッチとを備えた一方向クラッチ内蔵型回転伝達装置に於いて、この一方向クラッチを構成する複数個のクラッチ部材を設置したクラッチ内部空間にグリースが封入されており、このグリースの基油が、芳香族エステル又はチオエーテルを含有したものである事を特徴とする一方向クラッチ内蔵型回転伝達装置。
【請求項２】
グリースが、芳香族エステル又はチオエーテルを、基油の全量に対し３０質量％以上含有すると共に、ウレア系化合物から成る増ちょう剤を、グリース全量に対し５〜３５質量％含有したものである、請求項１に記載した一方向クラッチ内蔵型回転伝達装置。
【請求項３】
グリースが、増ちょう剤として、金属石けんと金属複合石けんとから選択される少なくとも１種から成るものを含有すると共に、添加剤として、亜鉛系、リン系、硫黄系の誘導体から選択される少なくとも１種から成るものを含有したものである、請求項１に記載した一方向クラッチ内蔵型回転伝達装置。
【請求項４】
グリースが、添加剤として、亜鉛系の誘導体から成る、ジアルキルジチオリン酸亜鉛又はジアルキルジチオカルバメート亜鉛を含有したものである、請求項１〜３の何れかに記載した一方向クラッチ内蔵型回転伝達装置。
【請求項５】
一方向クラッチに隣接する位置で内径側部材の外周面と外径側部材の内周面との間に設けられ、この外径側部材に加わるラジアル荷重を支承しつつこれら内径側部材と外径側部材との相対回転を自在とする、転がり軸受であるサポート軸受を備え、このサポート軸受を構成する複数個の転動体を設置した軸受内部空間内に、クラッチ内部空間内に封入したものと同じグリースを封入している、請求項１〜４の何れかに記載した一方向クラッチ内蔵型回転伝達装置。
【発明の詳細な説明】
【技術分野】
【０００１】
本発明の一方向クラッチ内蔵型回転伝達装置は、例えば、自動車のオルタネータの回転軸や、アイドリングストップ車を含む自動車の走行用エンジンを始動する為のスタータモータの駆動軸に装着して使用する。特に、本発明は、この様な各種の用途に使用される一方向クラッチ内蔵型回転伝達装置に使用するグリースの改良に関する。
【背景技術】
【０００２】
自動車のオルタネータを駆動する為のプーリ装置として従来から、一方向クラッチ内蔵型プーリ装置を使用する事が一部で行なわれている。図１は、この様な一方向クラッチ内蔵型プーリ装置のうちの従来から知られている構造を示している。尚、本発明の特徴は、一方向クラッチ内蔵型プーリ装置を構成する一方向クラッチの内部に封入するグリースを工夫した点にあり、図面に現れる構造は従来から知られている構造と同様である。図１に示す一方向クラッチ内蔵型プーリ装置は、互いに同心に配置された、内径側部材であるスリーブ１と、外径側部材であるプーリ２とを備える。そして、これらスリーブ１の外周面とプーリ２の内周面との間に、一方向クラッチであるローラクラッチ３と、１対のサポート軸受４、４とを設けている。
【０００３】
上記スリーブ１は、全体を円筒状に形成しており、オルタネータの回転軸に外嵌固定して、この回転軸と共に回転自在である。一方、上記プーリ２は鋼材に鍛造加工等を施す事により、やはり全体を円筒状に形成しており、その外周面の一部の幅方向に関する断面形状を波形として、ポリＶベルトと呼ばれる無端ベルトの一部を掛け渡し自在としている。そして、上記スリーブ１の外周面と上記プーリ２の内周面との間に存在する円筒状空間の軸方向中間部に上記ローラクラッチ３を、同じくこの空間の軸方向両端部でこのローラクラッチ３を軸方向両側から挟む位置に上記各サポート軸受４、４を、それぞれ配置している。
【０００４】
このうちのローラクラッチ３は、上記プーリ２が上記スリーブ１に対し所定方向に相対回転する傾向となる場合にのみ、これらプーリ２とスリーブ１との間での回転力の伝達を自在とする。この様なローラクラッチ３は、クラッチ用内輪５と、クラッチ用外輪６と、それぞれがクラッチ部材である複数個のローラ７と、合成樹脂製のクラッチ用保持器８と、図示しないばねとから成る。このうちのクラッチ用内輪５は上記スリーブ１の中間部外周面に、上記クラッチ用外輪６は上記プーリ２の中間部内周面に、それぞれ締り嵌めで嵌合固定している。又、上記クラッチ用外輪６の中間部内周面を単なる円筒面とすると共に、上記クラッチ用内輪５の外周面をカム面９としている。即ち、このクラッチ用内輪５の外周面に、それぞれがランプ部と呼ばれる複数の凹部１０を、円周方向に関し等間隔に形成して、このクラッチ用内輪５の外周面を上記カム面９としている。
【０００５】
そして、このカム面９と上記クラッチ用外輪６の中間部内周面との間に、上記複数個のローラ７と、これら各ローラ７を転動並びに円周方向に関する若干の変位自在に支持する、上記クラッチ用保持器８とを設けている。このクラッチ用保持器８は、合成樹脂により全体を円環状に構成しており、その内周縁部に設けた凸部１９、１９を上記カム面９の凹部１０に係合させる事により、上記クラッチ用内輪５に対する相対回転を阻止している。これと共に、図示の例では、上記クラッチ用保持器８の一端部（図１の右端部）内周面に形成した凸部１１を、上記クラッチ用内輪５の軸方向端面と上記スリーブ１の外周面に設けた段差面１２との間に配置する事により、上記クラッチ用保持器８の軸方向に関する位置決めを図っている。又、上記クラッチ用保持器８と上記各ローラ７との間には、これら各ローラ７を円周方向に関して同方向（上記各凹部１０が浅くなる方向）に押圧する為の、図示しないばねを設けている。又、上記各ローラ７を配置したクラッチ内部空間３４内に、潤滑の為のグリースを封入している。
【０００６】
尚、上述の様なローラクラッチ３を構成する場合、上記複数個のローラ７と当接する円筒面及びカム面９は、それぞれ前記プーリ２の内周面及び上記スリーブ１の外周面に直接形成する場合もある。又、上記円筒面と上記カム面９との径方向に関する配置は、上述した構造と逆にする場合もある。何れにしても、この様なローラクラッチ３の構造及び作用に就いては、従来から周知である為、これ以上の詳しい説明は省略する。
【０００７】
又、前記１対のサポート軸受４、４は、上記プーリ２に加わるラジアル荷重を支承しつつ、このプーリ２と上記スリーブ１との相対回転を自在とする。この様な各サポート軸受４、４として、図示の例では、それぞれ深溝型の玉軸受を使用している。即ち、これら各サポート軸受４、４はそれぞれ、内周面に深溝型の外輪軌道１３を有し、上記プーリ２の両端部に内嵌固定した外輪１４と、外周面に深溝型の内輪軌道１５を有し、上記スリーブ１の両端部に外嵌固定した内輪１６と、これら外輪軌道１３と内輪軌道１５との間に転動自在に設けられた複数個の玉１７、１７とから成る。又、上記外輪１４の内周面と上記内輪１６の外周面との間に存在する、上記各玉１７、１７を設置した空間の両端開口部は、それぞれシールリング１８、１８により塞いでいる。これら各シールリング１８、１８により、上記各玉１７、１７を設置した軸受内部空間３５、３５内に封入したグリースが外部に漏洩するのを防止すると共に、これら各軸受内部空間３５、３５内に塵芥等の異物が侵入するのを防止している。
【０００８】
上述の様に構成する一方向クラッチ内蔵型プーリ装置の使用時には、上記スリーブ１をオルタネータの回転軸の端部に外嵌固定すると共に、上記プーリ２の外周面に無端ベルトを掛け渡す。この無端ベルトはエンジンのクランクシャフトの端部に固定されたプーリに掛け渡され、このプーリの回転により駆動する。この様な状態で組み付けられる一方向クラッチ内蔵型プーリ装置は、上記無端ベルトの走行速度が一定若しくは上昇傾向にある場合には、上記プーリ２から上記回転軸への回転力の伝達を自在とし、反対に上記無端ベルトの走行速度が低下傾向にある場合には、これらプーリ２と回転軸との相対回転を自在とする。この結果、上記クランクシャフトの回転角速度が変動した場合でも、上記無端ベルトと上記プーリ２とが擦れ合う事を防止して、鳴きと呼ばれる異音の発生や摩耗による無端ベルトの寿命低下を防止すると共に、オルタネータの発電効率が低下する事を防止する。
【０００９】
又、上記一方向クラッチ内蔵型プーリ装置は、自動車の停止時にエンジンも自動的に停止させるアイドリングストップ車のスタータ用一方向クラッチ内蔵型回転伝達装置として使用する事もできる。即ち、上記一方向クラッチ内蔵型プーリ装置を、この様な用途に使用する場合にはアイドリングストップ車に設けたスタータモータの駆動軸の端部にこのプーリ装置を装着すると共に、このプーリ装置を構成するプーリ２と、エンジンのクランクシャフトの端部に固定したプーリとの間に無端ベルトを掛け渡す。これにより、スタータモータの駆動軸から無端ベルトへの動力の伝達を自在としてエンジンを始動できる様にすると共に、エンジンの始動後にはこの無端ベルトから上記駆動軸へは動力を伝達しない様にして、上記スタータモータが上記エンジンの運転に対する抵抗になる事を防止すると共に、このスタータモータの耐久性が損なわれる事を防止する。
【００１０】
更に、一般的な自動車で使用されているスタータモータの場合も、駆動軸とピニオンとの間に、スタータ用一方向クラッチ内蔵型回転伝達装置を組み込んでいる。即ち、エンジンを始動する為の始動装置は、一般的には、クランクシャフトに固定したフライホイールの外周縁部に固設した減速大歯車に、スタータモータの駆動軸に固設したピニオンを噛合させる事により、上記クランクシャフトを回転駆動できる様にしている。このピニオンは、上記スタータモータへの通電に伴って上記減速大歯車に向け突出し、この減速大歯車と噛合する。これに対して、上記スタータモータへの非通電時には、上記ピニオンがこの減速大歯車から退避する。又、このスタータモータの駆動軸の端部と上記ピニオンとの間に、一方向クラッチ内蔵型回転伝達装置を設けて、上記クランクシャフトの回転に伴って上記スタータモータが回転駆動される事を防止する。
【００１１】
図２〜３は、この様なスタータ用一方向クラッチ内蔵型回転伝達装置のうち、特許文献１に記載された構造を示している。スタータ用一方向クラッチ内蔵型回転伝達装置は、スタータモータ２０を構成するハウジング２１に固定の内径側部材である、円筒部２２と、この円筒部２２の周囲に設けた外径側部材である、リング部材２３の軸方向片半部（図２、３の左半部）との間に一方向クラッチである、ローラクラッチ２４を設けている。又、このローラクラッチ２４を構成する、それぞれがクラッチ部材である複数のローラ７を設置したクラッチ内部空間に、潤滑の為のグリースを封入している。又、上記リング部材２３の軸方向他半部（図２、３の右半部）内周面に設けたリング歯車２５と、スタータモータ２０の駆動軸２６の端部に固定した太陽歯車２７との間に複数の遊星歯車素子２８を設けている。そして、これら各遊星歯車素子２８に支持した支持軸２９に結合したキャリア３０の先端部にピニオン３１をスプライン係合している。
【００１２】
上述の様なスタータモータ２０によりエンジンを始動させる場合に、自動車の運転者がイグニッションキーをＯＮすると、このスタータモータ２０への通電により上記駆動軸２６が回転すると共に、上記ピニオン３１が、フライホイールに固設した減速大歯車３２と噛合する様に変位する。そして、この駆動軸２６の回転が、太陽歯車２７と遊星歯車素子２８とリング歯車２５とから成る遊星歯車減速機構３３で減速された後、キャリア３０に取り出される。この場合、この遊星歯車減速機構３３を構成するリング歯車２５の回転が、ローラクラッチ２４により阻止される。即ち、この場合には、ローラクラッチ２４を構成する各ローラ７が、上記リング部材２３の片半部内周面と上記円筒部２２の外周面に設けたカム面９との間で挟持された状態となる（ロック状態となる）。この為、上記リング部材２３の回転が阻止される。そして、上記キャリア３０の端部に係合したピニオン３１が、上記減速大歯車３２を回転させて、エンジンが始動する。
【００１３】
一方、このエンジンが始動した後には、この減速大歯車３２が上記キャリア３０を回転させる。そして、このキャリア３０の回転が上記ローラクラッチ２４で吸収されて、エンジンによりスタータモータ２０の駆動軸２６が回転駆動される事が防止される。即ち、この場合には、ローラクラッチ２４を構成するリング部材２３の片半部内周面と円筒部２２の外周面との間でローラ７が挟持されなくなり（オーバラン状態となり）、上記キャリア３０の回転が上記リング部材２３に伝達され、上記駆動軸２６に伝達される事がない。この為、上記スタータモータ２０が、エンジンにより高速で回転駆動される事がない。
【００１４】
上述の様に従来から各種の用途に使用されている一方向クラッチ内蔵型回転伝達装置に使用しているグリースは、オルタネータ用とスタータ用とのうちの一方の用途にのみ使用するのであれば良好な性能を確保できる場合もあるが、双方の用途に使用した場合に良好な性能を確保できない。
【００１５】
例えば、スタータ用一方向クラッチ内蔵型回転伝達装置を構成する一方向クラッチの場合、ロック状態となるのはエンジンを始動する際の短時間だけであり、エンジン始動後には、このエンジンが運転されている限り、オーバラン状態となる。従って、スタータ用の構造に組み込む一方向クラッチの内部に封入するグリースは、ロック状態で、一方向クラッチを構成する外径側部材と内径側部材との間でクラッチ部材を確実に係合できる性能を有する事が必要になるのは勿論であるが、特に、オーバラン状態でこれらクラッチ部材の摩耗を十分に抑える事ができる性能を有する事が必要になる。これに対して、オルタネータ用の構造に組み込む一方向クラッチの内部に封入するグリースは、ロック状態が多く実現される為、オーバラン状態でクラッチ部材の摩耗を抑える事に対する要求は、比較的低い。
【００１６】
又、オルタネータ用でもスタータ用でも、一方向クラッチ内蔵型回転伝達装置は自動車のエンジンルーム内に設置される。このエンジンルーム内の温度は、最高で１１０℃程度であるが、オーバラン状態での滑り摩擦に基づく発熱を考慮すると、内部の温度は１５０℃程度の高温に達する可能性がある。又、オルタネータ用の場合には、スタータ用の場合に比べて、オーバラン状態が実現される事は少なくなる為、高温になる程度が少なくなる事も考えられるが、サポート軸受の回転に伴う発熱が大きい為、やはり内部の温度が高温に達する可能性がある。この為、これらの用途に使用する一方向クラッチ内蔵型回転伝達装置に使用するグリースは、耐熱性を十分に確保する事が望まれる。又、自動車の始動装置は、−４０℃の低温でも使用される場合がある。この為、一方向クラッチ内蔵型回転伝達装置に使用するグリースは、−４０℃の低温から１６０℃の高温に亙る広い温度範囲で使用する場合でも、良好な性能を維持する事が望まれる。
【００１７】
又、前述の図１に示した構造の様に、一方向クラッチに隣接する位置には、外径側部材から加わるラジアル荷重を支承する為に、転がり軸受であるサポート軸受を設ける場合がある。この場合に、このサポート軸受を構成する転動体を設置した軸受内部空間内に封入するグリースが、一方向クラッチのクラッチ部材を設置したクラッチ内部空間内に封入するグリースと異なると、これら両空間内に存在するグリースが混合された場合に、グリースの性能が悪化する可能性がある。
【００１８】
この様な事情に対して、特許文献２には、オルタネータ用一方向クラッチ内蔵型回転伝達装置の一方向クラッチに、エーテル油を基油としたグリースを使用する事が記載されている。このエーテル油を、オルタネータ用の一方向クラッチに使用する事に対する問題は少ないが、スタータ用の一方向クラッチに使用する事は適していない。即ち、走行時にロック状態が多く実現されるオルタネータ用の一方向クラッチでは、このロック状態でのロック性能の向上と、アイドリング時での耐フレッチング性の向上とが主に求められるのに対し、走行時にオーバラン状態となるスタータ用の一方向クラッチでは、主に、このオーバラン状態での性能向上の面から、オーバラン状態での低摩擦摩耗特性の向上が求められる。この様に、オルタネータ用の一方向クラッチとスタータ用の一方向クラッチとでは、求められる性能が異なる。上記特許文献２に記載された、エーテル油を基油としたグリースは、滑り潤滑に適さず、このグリースを、スタータ用の一方向クラッチに使用した場合には、エンジンの始動装置の正常な機能が早期に損なわれる可能性がある。
【００１９】
又、特許文献３には、オルタネータ用一方向クラッチ内蔵型回転伝達装置の一方向クラッチに、圧力の上昇量に対する粘度の上昇量を表す指数である、粘度圧力係数が所定値以上であるグリースを使用する事が記載されている。この粘度圧力係数が所定値以上である事は、ロック状態を確実に実現できる様にする面からは有効であるが、オーバラン状態でのクラッチ部材の摩耗を十分に抑える面から有効であるとは言い難い。この為、特許文献３に記載された一方向クラッチを、そのままスタータ用一方向クラッチ内蔵型回転伝達装置として使用した場合も、上記始動装置の正常な機能が早期に損なわれる可能性がある。
【００２０】
又、特許文献４には、オルタネータ用一方向クラッチ内蔵型回転伝達装置で、一方向クラッチに、４０℃での動粘度が６０mm2 ／ｓ以下と低い、合成油を基油としたグリースを使用する事が記載されている。但し、単に、グリースの基油として動粘度が低い合成油を使用した場合には、一般的に、耐熱性を十分に確保する事が難しくなる。この為、単に動粘度を低くした合成油を基油としたグリースを、オルタネータ用やスタータ用の一方向クラッチ内蔵型回転伝達装置として使用した場合には、これら各装置の正常な機能が早期に損なわれる可能性がある。
【００２１】
又、特許文献５には、オルタネータ用一方向クラッチ内蔵型回転伝達装置で、クラッチ部材が存在するクラッチ内部空間内に、エステル系合成油を基油とした混和ちょう度が２５０〜２８０のグリースを封入し、一方向クラッチの両側に設けた１対のサポート軸受の軸受内部空間に、エーテル系合成油を基油とした混和ちょう度が２８０〜３００のグリースを封入する事が記載されている。但し、この様に、一方向クラッチの両側に１対のサポート軸受を設けた構造で、クラッチ内部空間内に封入するグリースが、軸受内部空間内に封入するグリースよりも硬い場合には、内側に存在するクラッチ内部空間内のグリースが押し出された時に外側に存在する軸受内部空間内のグリースが押し出されて、外部にグリースが漏出し易くなる。又、異なるグリースが混合される事により、グリースの硬さ等の特性が悪化する可能性もある。
【００２２】
又、特許文献６には、スタータ用一方向クラッチ内蔵型回転伝達装置に、シリコーン油を基油としたグリースを封入する事が記載されている。但し、この様なシリコーン油を基油としたグリースは、他の合成油や鉱油を基油としたグリースに比べて油膜強度が、一般的に低い。この為、一方向クラッチの両側にサポート軸受を設けた一方向クラッチ内蔵型回転伝達装置で、これら一方向クラッチとサポート軸受とに封入したグリースが混合される事を考慮して、このサポート軸受内にもシリコーン油を基油としたグリースを封入した場合に、このサポート軸受の長寿命化を図る事が難しくなる。
【００２３】
又、オルタネータ用とスタータ用との双方で、ロック状態とオーバラン状態とを確実に実現できる事と、これらロック状態とオーバラン状態との繰り返しに伴うフレッチング摩耗に対する耐久性を十分に確保できる事とが重要になる。特に、オルタネータ用一方向クラッチ内蔵型プーリ装置を構成する一方向クラッチの場合には、運転時に、ロック状態が実現されながら振動する為、このグリースには、耐フレッチング性を確保する事が特に要求される。これに対して、耐熱性を十分に確保しつつ、耐フレッチング性を十分に確保できるグリースを一方向クラッチに使用する事は、従来から考慮されていない。
【００２４】
上述した事情から、本発明者は、オルタネータ用とスタータ用との何れに使用した場合でも良好な性能を得る為には、次の(イ) から(ホ) の性能を有するグリースを使用する事が重要であると考えた。
(イ) オーバラン状態に於いて、優れた低摩擦特性及び低摩耗特性を有する事。
(ロ) −４０℃の低温から１６０℃の高温に亙る広い温度範囲で良好な性能を維持できる事。
(ハ) 一方向クラッチに隣接する位置に転がり軸受であるサポート軸受を設けた場合に、グリースがこのサポート軸受の潤滑にも適する事。
(ニ) 一方向クラッチの断接を確実に行なえる事。
(ホ) 耐フレッチング性に優れる事。
尚、本発明に関連する先行技術文献として、特許文献１〜６の他に、特許文献７〜１１がある。
【００２５】
【特許文献１】特開平８−３２６６４０号公報
【特許文献２】特開平１１−８２６８８号公報
【特許文献３】特開２０００−２３４６３８号公報
【特許文献４】特開２０００−２５３６２０号公報
【特許文献５】特開２００２−１３０４３３号公報
【特許文献６】特許第３０３３３０６号公報
【特許文献７】特公平７−４５６７７号公報
【特許文献８】特開平７−１０９４８０号公報
【特許文献９】特開平１１−１３１０８２号公報
【特許文献１０】特開２０００−３４５１７８号公報
【特許文献１１】特開２００３−１３９７３号公報
【発明の開示】
【発明が解決しようとする課題】
【００２６】
本発明は、上述の様な事情に鑑みて、上述した(イ) から(ホ) の性能を有するグリースを使用する事により、オルタネータ用としてもスタータ用としても優れた性能を得られる一方向クラッチ内蔵型回転伝達装置を実現すべく発明したものである。
【課題を解決するための手段】
【００２７】
本発明の一方向クラッチ内蔵型回転伝達装置は、従来から知られている一方向クラッチ内蔵型回転伝達装置と同様に、内径側部材と、外径側部材と、一方向クラッチとを備える。
このうちの外径側部材は、筒状で、この内径側部材の周囲にこの内径側部材と同心に配置されたものである。
又、上記一方向クラッチは、上記内径側部材の外周面と外径側部材の内周面との間に設けられ、この外径側部材が上記内径側部材に対し所定方向に相対回転する傾向となる場合にのみ、これら外径側部材と内径側部材とが繋った状態となるものである。
【００２８】
特に、本発明の一方向クラッチ内蔵型回転伝達装置に於いては、上記一方向クラッチを構成する複数個のクラッチ部材を設置したクラッチ内部空間にグリースが封入されており、このグリースの基油が、芳香族エステル又はチオエーテルを含有したものである。
例えば、上記芳香族エステルとして、次の一般式（１）で表されるトリメリット酸のアルキルエステル、又は次の一般式（２）で表されるピロメリット酸のアルキルエステル等を使用する。
【化１】
2005003197.tif 000003
【化２】
2005003197.tif 000004
尚、上記一般式（１）（２）中、Ｒは、炭素数が４〜１８のアルキル基であり、例えば、ブチル基、ペンチル基、ヘキシル基、へプチル基、オクチル基、ノニル基、デシル基、ウンデシル基、ドデシル基、トリデシルテトラデシル基、ペンタデシル基、へキサデシル基、ヘプタデシル基、オクタデシル基等が挙げられる。
又、上記チオエーテルとして、次の一般式（３）又は（４）で表されるジフェニルスルフィドのアルキル置換体等を使用する。
【化３】
2005003197.tif 000005
【化４】
2005003197.tif 000006
尚、上記一般式（３）（４）中、Ｒ’及びＲ’’は、炭素数が１０から２０の炭化水素基であり、Ｒ’及びＲ’’は互いに同一であっても異なるものであっても良い。又、ｍ、ｎは、１≦ｍ＋ｎ≦４を満たす０以上の整数を示す。好ましくは、Ｒ’、Ｒ’’を、共に炭素数が１２又は１４で構成される炭化水素基で置換されているジフェニルスルフィドとする。
【発明の効果】
【００２９】
上述の様に構成する本発明の一方向クラッチ内蔵型回転伝達装置の場合には、一方向クラッチの内部に封入するグリースの基油を、芳香族エステル又はチオエーテルを含有したものとしている。この為、このグリースが、
(イ) オーバラン状態に於いて、優れた低摩擦特性及び低摩耗特性を有する。
(ロ) −４０℃の低温から１６０℃の高温に亙る広い温度範囲で良好な性能を維持できる。
(ハ) 一方向クラッチに隣接する状態で、転がり軸受であるサポート軸受を設けた場合でもこのサポート軸受の潤滑にも適する。
(ニ) 一方向クラッチの断接を確実に行なえる。
(ホ) 耐フレッチング性に優れる。
と言った優れた性能を発揮する。従って、本発明の一方向クラッチ内蔵型回転伝達装置によれば、オルタネータ用としてもスタータ用としても優れた性能を得られる。
【発明を実施するための最良の形態】
【００３０】
本発明を実施する場合に好ましくは、グリースの基油の流動点を−４０℃以下（より好ましくは−４５℃以下）とする。
この好ましい構成の場合には、自動車のエンジン始動装置に組み込んで使用する場合の様に、一方向クラッチ内蔵型回転伝達装置が−４０℃近くで使用される場合でも、良好な潤滑性能を得られる。
【００３１】
又、本発明を実施する場合により好ましくは、請求項２に記載した様に、上記グリースを、芳香族エステル又はチオエーテルを、基油の全量に対し３０質量％以上含有すると共に、ウレア系化合物から成る増ちょう剤を、グリース全量に対し５〜３５質量％含有したものとする。
このより好ましい構成の場合には、グリースに、芳香族エステル又はチオエーテルを、基油の全量に対し３０質量％以上含有すると共に、ウレア系化合物から成る増ちょう剤を、グリース全量に対し５〜３５質量％含有している為、焼き付き寿命の長期化（向上）を図れる。
【００３２】
又、本発明を実施する場合により好ましくは、請求項３に記載した様に、上記グリースを、増ちょう剤として、金属石けんと金属複合石けんとから選択される少なくとも１種から成るものを含有すると共に、添加剤として、亜鉛系、リン系、硫黄系の誘導体から選択される少なくとも１種から成るものを含有したものとする。
【００３３】
又、上述の各構成の発明を実施する場合により好ましくは、請求項４に記載した様に、上記グリースを、添加剤として、亜鉛系の誘導体から成る、ジアルキルジチオリン酸亜鉛又はジアルキルジチオカルバメート亜鉛を含有したものとする。
【００３４】
又、上述の各構成の発明を実施する場合により好ましくは、請求項５に記載した様に、一方向クラッチに隣接する位置で内径側部材の外周面と外径側部材の内周面との間に設けられ、この外径側部材に加わるラジアル荷重を支承しつつこれら内径側部材と外径側部材との相対回転を自在とする、転がり軸受であるサポート軸受を備え、このサポート軸受を構成する複数個の転動体を設置した軸受内部空間内に、上記クラッチ内部空間内に封入したものと同じグリースを封入する。
このより好ましい構成の場合には、一方向クラッチのクラッチ内部空間内に封入するグリースと、サポート軸受の軸受内部空間内に封入するグリースとを、同じグリースとしている為、これら各空間内に存在するグリース同士が混合された場合でも、このグリースの性能が悪化する事を防止できる。しかも、このグリースが、サポート軸受の潤滑にも適するグリースである為、このサポート軸受の軸受寿命の長期化を図れる。
【実施例】
【００３５】
本発明の一方向クラッチ内蔵型回転伝達装置の特徴は、オルタネータ用としてもスタータ用としても優れた性能を得るべく、一方向クラッチのクラッチ内部空間内に封入するグリースを工夫した点にある。図面に現れる構造は、例えば前述の図１を用いて説明した、従来から知られている構造と同様であるので、前述の図１を用いた説明と同様部分に就いての説明は省略し、以下、本発明の実施例を、この図１を用いて、本発明の特徴部分を中心に説明する。
【００３６】
本実施例の場合には、それぞれがクラッチ部材である、複数個のローラ７を配置したクラッチ内部空間３４内に封入するグリースの基油として、芳香族エステル又はチオエーテルを含有したものを使用している。具体的には、芳香族エステルとして、ジエステル、ポリオールエステル等の、一般的に使用されているエステル系合成油よりも耐焼き付き性が優れ、且つ高温での使用に適した、トリメリット酸、ピロメリット酸のアルキルエステル等を使用する。又、上記チオエーテルとして、グリコールエーテル等の、一般的に使用されているエーテル系合成油よりも耐熱性及び耐酸化性に優れ、且つ、分子中に硫黄を含む事により耐摩耗性及び耐フレッチング性にも優れたジフェニルスルフィドのアルキル置換体等を使用する。
【００３７】
又、本発明に於いて基油として使用するトリメリット酸のアルキルエステル（芳香族エステル）は前記一般式（１）で表され、ピロメリット酸のアルキルエステル（芳香族エステル）は前記一般式（２）で表され、ジフェニルスルフィドのアルキル置換体は前記一般式（３）又は（４）で表される。
【００３８】
尚、耐熱性に優れた基油としては、ポリフェニルエーテル油、シリコーン油、フッ素油等が知られているが、ポリフェニルエーテル油及びフッ素油は非常に高価であり、シリコーン油は一般的に潤滑性が悪い。これに対して、本発明で基油として使用する、トリメリット酸又はピロメリット酸のアルキルエステル、或はジフェニルスルフィドのアルキル置換体は、耐熱性及び耐酸化性及び耐摩耗性に優れているだけでなく、比較的安価で、潤滑性にも優れている。又、グリースの基油として用いる面から、好ましくは、上記トリメリット酸又はピロメリット酸のアルキルエステルと、ジフェニルスルフィドのアルキル置換体とのうちでも、流動点が−４０℃以下の性状を有するものを使用する。更に、自動車用のオルタネータ用又はスタータ用として使用する事を考慮すると、−４０℃近くの低温での使用（エンジン始動等）にも耐える必要があり、より好ましくは、基油の流動点を−４５℃以下とする。
【００３９】
又、上記グリースの基油として、トリメリット酸又はピロメリット酸のアルキルエステル又はジフェニルスルフィドのアルキル置換体を含み、更に、これに他の潤滑油を適宜混合したものも使用できる。混合使用する潤滑油としては、耐熱性及び耐酸化性に優れた潤滑油を好ましく使用でき、例えば、合成炭化水素油、エーテル油、エステル油等を使用できる。具体的には、合成炭化水素油としてポリーα−オレフィン油等を、エーテル油として、ジアルキルジフェニルエーテル油、アルキルトリフェニルエーテル油、アルキルテトラフェニルエーテル油等を、エステル油として、ジエステル油、ネオペンチル型ポリオールエステル油、又はこれらのコンプレックスエステル油、或は芳香族エステル油等を使用できる。これらの基油に混合使用する潤滑油は、単独でも、適宜の組み合わせで混合して使用する事もできる。特に、高温、高速、高荷重及び高振動下での潤滑性能の確保と、焼き付き寿命の向上の面からの耐熱性向上と、特に条件が厳しい低温での異音発生を防止する為の低温流動性の向上とを考慮すると、ペンタエリスリトールエステル、ジペンタエリスリトールエステル等のポリオールエステル油や、芳香族エステル油、合成炭化水素油等を、上記潤滑油として混合使用する事が好ましい。
【００４０】
ジフェニルスルフィドのアルキル置換体、又はトリメリット酸若しくはピロメリット酸のアルキルエステルの優れた耐熱性及び耐酸化性及び耐摩耗性を引き出す面から、より好ましくは、基油の全量に対してこのアルキル置換体又はアルキルエステルを３０質量％以上含有する。又、特に低温に於ける軸受起動トルクの低減を図る必要がある場合には、他の合成油を混合使用する事により、基油の流動点を低下させ、低温での流動性を改善する事もできる。基油の動粘度はこの低温での流動性の改善等を考慮すると、４０℃に於いて、２０〜２００mm2 ／ｓが好ましい。これに対して、この基油の動粘度が、２０mm2 ／ｓ未満である場合には、チオエーテル又は芳香族エステルを含有する場合でも、耐熱性が劣り、２００mm2 ／ｓを越える場合には、低温時の流動性が悪化して、オーバラン状態での発熱が大きくなってしまう。耐熱性の確保と、発熱を抑える事とをより確実に図れる様にする面から、更に好ましく、基油の４０℃での動粘度を、４０〜１５０mm2 ／ｓとする。
【００４１】
又、前記グリースに用いる増ちょう剤としては、リチウム石けん等の金属石けんと、リチウム複合石けん等の金属複合石けんとから選択される少なくとも１種から成るもの、或はウレア化合物を使用できる。但し、耐熱性を高くする事を考慮すると、増ちょう剤として、上述の金属複合石けん（より好ましくはリチウム複合石けん）又はウレア化合物を使用する事が好ましい。例えば、上述の金属石けんとして、周期律表の１、２、３族（アルカリ金属、アルカリ土類金属、ホウ素族）の金属、例えば、リチウム、カルシウム、ナトリウム、バリウム、アルミニウム等を含む金属源と、炭素数１０以上の高級脂肪酸又は１個以上の水酸基を有する炭素数１０以上の高級ヒドロキシ脂肪酸とから合成された脂肪族−塩基酸金属塩を使用できる。又、上記金属複合石けんとして、周期律表の１、２、３族（アルカリ金属、アルカリ土類金属、ホウ素族）の金属、例えば、リチウム、カルシウム、ナトリウム、バリウム、アルミニウム等を含む金属源と、少なくとも１個のヒドロキシル基を含む炭素数１２〜２４の脂肪族モノカルボン酸と、炭素数２〜１２の脂肪族ジカルボン酸とから合成されたものを使用できる。
【００４２】
又、上記ウレア化合物に用いるウレアとしては、例えば、ジウレア、トリウレア、テトラウレア、又はそれ以上のポリウレアを使用できるが、好ましくは、上記ウレア化合物として、次の（５）式で表されるジウレア化合物を使用する。又、より好ましくは、ジウレア化合物として、脂環式炭化水素基を持つものを使用する。例えば、（５）式中のＲ1 、Ｒ3 が、脂環式炭化水素基であるシクロヘキシル基であるもの、又は、シクロヘキシル基と脂肪族基との混合としたもの、又は、この混合でシクロヘキシル基を過半数以上としたものを、好ましく使用できる。又、好ましくは、ウレア化合物から成る増ちょう剤を、グリース全量に対し、５〜３５質量％（より好ましくは８〜３０質量％、更に好ましくは８〜２５質量％、更に好ましくは９〜２２質量％）含有する。
【００４３】
【化５】
2005003197.tif 000007
【００４４】
一方、上記グリースには、添加剤として、亜鉛系、リン系、硫黄系の誘導体から選択される少なくとも１種から成るものを含有する。亜鉛系としては、次の（６）式で表されるジアルキルジチオリン酸亜鉛、又は、ジアルキルジチオカルバメート亜鉛を使用する事が好ましい。尚、（６）式で、Ｒはアルキル基を表している。
【化６】
2005003197.tif 000008
【００４５】
又、上記グリースに含有するリン系、硫黄系の添加剤としては、周知の添加剤を使用できる。例えば、硫化油脂、硫化オレフィン、トリクレジルフォスフェート、チオフォスフェート、チオフォスファイトを使用できる。これらは、単独でも、組み合わせでも使用できる。
【００４６】
又、好ましくは、上記グリースに防錆剤を添加する。又、この防錆剤のうちでも、スルホン酸塩、ナフテン酸塩等の有機酸の金属塩を、より好ましく使用できる。更に、この金属塩のうちでも、アルカリ金属やアルカリ土類金属の塩を、より好ましく使用できる。具体的には、この様な塩として、バリウムスルホネート、亜鉛スルホネート、カルシウムスルホネート、ナフテン酸亜鉛等が挙げられる。
【００４７】
この様な添加剤は、単独でも、組み合わせでも使用できる。又、これらの添加剤の含有量としては、グリース全量に対し、それぞれ０．１〜５質量％を含有する。好ましくは、この含有量として、グリース全量に対し、０．３〜２質量％を含有する。これに対して、この含有量が０．１質量％未満である場合には、添加剤による所望の効果を十分に得る事
が困難になり、逆に、この含有量が５質量％を越える場合には、添加剤の効果が飽和し、しかも、熱安定性が劣り、実用的ではない為、好ましくない。
【００４８】
又、上記グリースの混和ちょう度は、２００〜３５０とする事が好ましく、より好ましくは、２５０を越え、３５０未満とする。この混和ちょう度が２００未満の場合には、グリースが硬過ぎ、主に一方向クラッチに於いて、オーバラン状態を実現する場合に潤滑が必要な部分に十分量のグリースが行き渡りにくくなる。又、この場合には、ローラクラッチ３でロック状態とオーバラン状態とを実現する為に設ける、ばねの動きが悪化する等の問題が生じ易くなる。逆に、上記混和ちょう度が３５０を超える場合には、グリースが軟らかくなり過ぎて、自動車の走行時の振動等に伴って、ローラクラッチ３の外部にグリースが漏洩し易くなる等の問題が生じる。
【００４９】
又、本実施例の場合には、上述の様に構成する、前記クラッチ内部空間３４内に封入するグリースと同じグリースを、各サポート軸受４、４を構成する複数の玉１７、１７が存在する軸受内部空間３５、３５内に封入している。
【００５０】
上述の様に構成する本実施例の一方向クラッチ内蔵型回転伝達装置の場合には、ローラクラッチ３のクラッチ内部空間３４内に封入するグリースの基油を、芳香族エステル又はチオエーテルを含有したものとしている。この為、グリースが、
(イ) オーバラン状態に於いて、優れた低摩擦特性及び低摩耗特性を有する。
(ロ) −４０℃の低温から１６０℃の高温に亙る広い温度範囲で良好な性能を維持できる。
(ハ) ローラクラッチ３に隣接する状態で設けた、転がり軸受であるサポート軸受４、４の潤滑にも適する。
(ニ) ローラクラッチ３の断接を確実に行なえる。
(ホ) 耐フレッチング性に優れる。
と言った優れた性能を発揮する。従って、本発明の一方向クラッチ内蔵型回転伝達装置によれば、オルタネータ用としてもスタータ用としても優れた性能を得られる。
【００５１】
又、上記グリースの基油の流動点を−４０℃以下（好ましくは−４５℃以下）とした場合には、自動車のエンジン始動装置に組み込んで使用する場合の様に、一方向クラッチ内蔵型回転伝達装置が−４０℃近くで使用される場合でも、良好な潤滑性能を得られる。
【００５２】
又、上記グリースに、芳香族エステル又はチオエーテルを、基油の全量に対し３０質量％以上含有すると共に、ウレア系化合物から成る増ちょう剤を、グリース全量に対し５〜３５質量％（より好ましくは８〜３０質量％、更に好ましくは８〜２５質量％、更に好ましくは９〜２２質量％）含有した場合には、焼き付き寿命の長期化（向上）を図れる。
【００５３】
又、本実施例の場合には、上記ローラクラッチ３のクラッチ内部空間３４内に封入するグリースと、上記各サポート軸受４、４の軸受内部空間３５、３５内に封入するグリースとを、同じグリースとしている為、これら各空間３４、３５内に存在するグリース同士が混合された場合でも、このグリースの性能が悪化する事を防止できる。しかも、このグリースが、サポート軸受４、４の潤滑にも適するグリースである為、これら各サポート軸受４、４の軸受寿命の長期化を図れる。
【００５４】
次に、本発明の効果を確認する為に、本発明の技術的範囲に属する実施品１〜１０のグリース（表１、３参照）及び本発明の技術的範囲から外れる比較品１〜５のグリース（表２、４参照）を用いて行なった試験に就いて説明する。尚、本発明がこれら各実施品のグリースを使用するものに限定されるものでない事は勿論である。
各実施品及び各比較品のうち、実施品１〜８と比較品１〜４とのグリースを製造する場合、先ず、次の表１、２に示すアミン（シクロヘキシルアミン等）とイソシアネート（ＭＤI ：４、４―ジフェニルメタンジイソシアネート）とを増ちょう剤として、表１、２に示す基油中で反応させ、更に表１、２に示す所定量ずつの添加剤を加えた後、３段ロールミルで仕上げて、各実施品１〜８及び各比較品１〜４のグリースを作製した。尚、表１、２に於いて、酸化防止剤と防錆剤と腐食防止剤と極圧剤との欄中に示した数値は、それぞれ配合比（質量％）を表している。又、表１の実施品８の欄中、「環：芳＝１：１」は、原料として用いたアミンが、脂環式炭化水素基を有するアミン（シクロヘキシルアミン）と芳香族アミン（ｐ−トルイジン）とを１：１の割合で配合した事を表している。又、比較品１〜４は、基油が本発明の範囲から外れた、ポリオールエステル（比較品１）と、ジアルキルフェニルエーテル（比較品２）と、ポリ−αオレフィン（比較品３）と、鉱油（比較品４）とである。又、表１、２には、次述する各試験により得られた結果を、合わせて示している。
【００５５】
【表１】
2005003197.tif 000009
【００５６】
【表２】
2005003197.tif 000010
【００５７】
又、上記各実施品及び各比較品のうち、実施品９、１０と比較品５とのグリースを製造する場合、先ず、次の表３、４に示すリチウム複合石けん（１２ヒドロキシステアリン酸とアゼライン酸とを、７５：２５の質量比で混合したもの）を増ちょう剤として、表３、４に示す基油中で反応させ、更に表３、４に示す所定量ずつの添加剤を加えた後、３段ロールミルで仕上げて、各実施品９、１０と比較品５のグリースを作製した。尚、表３、４に於いて、酸化防止剤と防錆剤とＺｎＤＴＰとＺｎＤＴＣとＴＰＰＴとＴＰＰとの欄中に示した数値は、それぞれ配合比（質量％）を表している。又、比較品５は、基油が本発明の範囲から外れたポリ−αオレフィンである。又、表３、４には、次述する各試験により得られた結果を、合わせて示している。
【００５８】
【表３】
2005003197.tif 000011
【００５９】
【表４】
2005003197.tif 000012
【００６０】
尚、上記表１〜４に示した基油の欄中、ＡＤＳはジフェニルスルフィドのアルキル置換体であり、ＡＥは芳香族エステルであり、ＰＯＥはポリオールエステルであり、ＡＤＥはジアルキルフェニルエーテルであり、ＰＡＯはポリ−αオレフィンであり、ＭＯは鉱油である。
又、上記表１、２中の酸化防止剤と防錆剤と腐食防止剤と極圧剤とは、次に詳述する通りである。
・酸化防止剤のジオクチルジフェニルアミン：東京化成工業株式会社製の試薬
・防錆剤のバリウムスルホネート：Ｋｉｎｇ  Ｉｎｄｕｓｔｒｉｅｓ社製「ナッスルＢＳＮ」
・ベントリ系の腐食防止剤：東京化成工業株式会社製の試薬（ベンゾトリアゾール）
・極圧剤のＺｎＤＴＰ：Ｌｕｂｒｉｚｏｌ製「ルブリゾール１０９５」
又、アミン及びＭＤＩは、共に、東京化成工業株式会社製の試薬を使用した。
【００６１】
又、上記表３、４中のアミン系酸化防止剤と防錆剤とＺｎＤＴＰとＺｎＤＴＣとＴＰＰＴとＴＰＰとは、次に詳述する通りである。
・アミン系酸化防止剤：Ｖａｎｄｅｒｂｉｔ製「Ｖａｎｌｕｂｅ  ８１」
・防錆剤のバリウムスルホネート：Ｋｉｎｇ  Ｉｎｄｕｓｔｒｉｅｓ社製「ナッスルＢＳＮ」
・防錆剤のカルシウムスルホネート：Ｋｉｎｇ  Ｉｎｄｕｓｔｒｉｅｓ社製「ナッスルＨＴ」
・ＺｎＤＴＰ：Ｌｕｂｒｉｚｏｌ製「ルブリゾール１１９５」
・ＺｎＤＴＣ：Ｖａｎｄｅｒｂｉｔ製「Ｖａｎｌｕｂｅ  ＡＺ」
・ＴＰＰＴ：チバ・スペシャリティー・ケミカルズ製「ＴＰＰＴ」
・ＴＰＰ：味の素株式会社製「レオフォス５０」
そして、この様にして得られたグリースを使用して、以下の、高速往復動摩擦試験と、低温トルク試験と、蒸発減量試験と、微小振幅往復動試験とを行なった。
【００６２】
［高速往復動摩擦試験］
先ず、一方向クラッチのオーバラン状態での性能を評価する為に行なった高速往復動摩擦試験に就いて説明する。この試験は、図４に示す様に、ＳＵＪ２（  HRC ６０〜６４）製の平板状の下部試験片３６の上面に約０．０５mmの厚さでグリースを塗布し、電熱ヒータ３７により１４０℃で２時間加熱した後、室温迄温度低下させてから行なった。尚、上記下部試験片３６の温度は、熱電対３８により測定した。そして上記下部試験片３６の上面に、支持部材３９の下側に保持したＳＵＪ２製の玉（上部試験片）４０を、荷重Ｆにより押し付けると共に、この支持部材３９を高速で水平方向に往復運動させた。この様に支持部材３９を往復運動させる為に、固定の部分に支持した電動モータ４１の回転軸の端部に結合したカム４２の外周面を、上記支持部材３９の側面に固設した板部４３の先端縁に突き当てた。又、この支持部材３９に、図示しない弾性部材により、上記カム４２に向かう方向の弾力を付与した。そして、上記回転軸を高速で回転させる事により、上記支持部材３９を高速で水平方向に往復運動させた。尚、上記下部試験片４０に、上記玉４０との摩擦力に基づき水平方向に加わる荷重は、ロードセル４４により測定した。又、本試験での他の条件は、次の通りである。
・支持部材３９に加える荷重Ｆ：９８Ｎ
・玉４０の直径：１０mm
・往復運動の周波数：１０Ｈｚ
・往復運動の振幅：２mm
・往復運動を行なう時間：３０分間
本試験は、この様な条件で上記玉４０を上記下部試験片３６の上面に押し付けつつ、上記支持部材３９を往復運動させた後、この玉４０の表面に生じた摩耗痕の直径（摩耗痕径）を測定した。
【００６３】
この様にして行なった試験結果を、前記表１〜４の「<1> 往復動摩耗痕径」の欄に示している。これら表１〜４に示した試験結果から明らかな様に、本発明の一方向クラッチ内蔵型回転伝達装置の場合には、一方向クラッチを構成するクラッチ部材の摩耗を十分に抑える事ができる。
【００６４】
［低温トルク試験］
次に、グリースの低温流動性を評価する為に行なった低温トルク試験に就いて説明する。この低温トルク試験は、ＪＩＳＫ２２２０  ５．１４に従って、−３０℃の低温での玉軸受の起動トルクを測定した。この低温トルク試験で得られた測定値を、「◎」「○」「×」の評価に置き換えて、上記表１〜４の「<2> 低温トルク」の欄に示している。尚、この欄中、「◎」は玉軸受の起動トルクが１５Ｎ未満で、良好である事を、「○」はこの起動トルクが１５Ｎ以上２５Ｎ未満で、やや良好である事を、「×」はこの起動トルクが２５Ｎ以上で、不良である事を、それぞれ表している。
上記表１〜４に示した試験結果から明らかな様に、本発明の場合には、低温時での起動トルクを小さく抑える事ができる。
【００６５】
［蒸発減量試験］
次に、グリースの耐熱性を評価する為に行なった蒸発減量試験に就いて説明する。この蒸発減量試験は、前記各実施品及び各比較品のグリースで、添加剤を含めた基油の１５mgを専用容器により採取したものを、１６０℃で、１２時間加熱し、熱重量測定装置（ＴＧ）により減量を測定した。そしてこの様な蒸発減量試験で得られた測定値を、「◎」「○」「×」の評価に置き換えて、上記表１〜４の「<3> 蒸発減量試験」の欄に示している。尚、この欄中、「◎」は減量が４質量％未満で、良好である事を、「○」は減量が４質量％以上６質量％未満で、やや良好である事を、「×」は減量が６質量％以上で、不良である事を、それぞれ表している。
上記表１〜４に示した試験結果から明らかな様に、本発明の場合には、蒸発減量を小さく抑える事ができ、耐熱性を十分に確保できる。
【００６６】
［微小振幅往復動試験］
次に、一方向クラッチでのロック状態とオーバーラン状態との繰り返しによるフレッチング摩耗に対する耐久性（耐フレッチング性）を評価する為に行なった、微小振幅往復動試験に就いて説明する。この試験は、前述の高速往復動摩擦試験で用いた図４に示した試験装置と同様のものを用いて行なった。又、本試験では、この高速往復動摩擦試験の場合と異なり、
・支持部材３９に加える荷重Ｆ：２９４Ｎ
・往復運動の周波数：３０Ｈｚ
・往復運動の振幅：０．４mm
とし、これ以外の条件は、上記高速往復動摩擦試験と同じとした。そして、この様な条件で玉４０を下部試験片３６の上面に押し付けつつ、支持部材３９を往復運動させた後、この玉４０の表面に生じた摩耗痕の直径（摩耗痕径）を測定した。
【００６７】
この様にして行なった試験結果を、上記表１〜４の「<4> 微小振幅往復動試験」の欄に示している。これら表１〜４に示した試験結果から明らかな様に、本発明の一方向クラッチ内蔵型回転伝達装置の場合には、一方向クラッチを構成するクラッチ部材のフレッチング摩耗に対する耐久性を十分に確保できる。
【００６８】
［焼き付き寿命試験］
次に、ジフェニルスルフィドのアルキル置換体と他の合成油との混合油を基油としたグリースを使用した場合で、このアルキル置換体の割合が、焼き付き寿命に及ぼす影響を確認する為に行なった、第一の焼き付き寿命試験に就いて説明する。この第一の焼き付き寿命試験は、前記各実施品のうちの実施品３のグリースで、基油のジフェニルスルフィドのアルキル置換体（ＡＤＳ）とポリ−αオレフィン（ＰＡＯ）との配合比を種々に変えたものを深溝型玉軸受に封入した状態で、この玉軸受の焼き付き寿命を調べた。その他の試験条件は次の通りである。
・深溝玉軸受の寸法：内径２５mm、外径６２mm、幅１７mm
・内輪と外輪との相対回転数：１００００min-1 
・アキシアル荷重Ｆa ＝ラジアル荷重Ｆr ＝９８Ｎ
・軸受環境温度：１６０℃
この様な条件の下で、玉軸受を連続回転させ、軸受温度が設定温度よりも１０℃上昇した時点を焼き付き寿命に達したと判定した。又、ＰＡＯが１００％である基油を有するグリースの焼き付き寿命に対する、各実施品及び各比較品の焼き付き寿命を、相対焼き付き寿命とした。言い換えれば、ＰＡＯが基油の全量に対し１００％である基油を有するグリースの相対焼き付き寿命を１とした。この様にして行なった第一の焼き付き寿命試験の結果を図５に示している。この図５に示した試験結果から明らかな様に、ジフェニルスルフィドのアルキル置換体を、基油の全量に対し３０質量％以上含有した場合（図５に矢印ａで示す範囲）には、焼き付き寿命を十分に長くできた。
【００６９】
次に、グリース全量に対する増ちょう剤の割合が焼き付き寿命に及ぼす影響を確認する為に行なった、第二の焼き付き寿命試験に就いて説明する。この試験は、前記表１に示した実施品１〜８のうち、実施品１で、増ちょう剤として、脂環式炭化水素基を有するジウレア化合物又は芳香族基を有するジウレア化合物を含有したものを使用すると共に、グリース全量に対する増ちょう剤の割合を種々に変えた状態で、玉軸受の焼き付き寿命を調べた。本試験に於いて、その他の条件は、上述の第一の焼き付き寿命試験の場合と同様である。この様にして行なった第二の焼き付き寿命試験の結果を、図６に示している。尚、この図６では、実線が、増ちょう剤として脂環式炭化水素基を有するジウレア化合物を含有したものを使用した事を、点線が、増ちょう剤として芳香族基を有するジウレア化合物を含有したものを使用した事を、それぞれ表している。
【００７０】
上記図６に示した試験結果から明らかな様に、グリース全量に対する増ちょう剤の割合を、５〜３５質量％（図６に矢印ａで示す範囲）とした場合には、相対焼き付き寿命を長くできた。又、この割合を、８〜３０質量％（図６に矢印ｂで示す範囲）とした場合には、増ちょう剤が芳香族基を有するジウレア化合物を含有したものである場合でも、相対焼き付き寿命を４以上とする事ができた。又、上記割合を、８〜２５質量％（図６に矢印ｃで示す範囲）とした場合には、増ちょう剤が脂環式炭化水素基を有するジウレア化合物を含有したものである場合に、相対焼き付き寿命を５以上とする事ができた。又、上記割合を、９〜２２質量％（図６に矢印ｄで示す範囲）とした場合には、増ちょう剤が脂環式炭化水素基を有するジウレア化合物を含有したものである場合に、相対焼き付き寿命を約５．３以上とする事ができた。
【００７１】
これに対して、上記割合が、３５質量％を越えて大きくなった場合には、増ちょう剤が過剰になる代わりに、基油が過少になる。この為、潤滑性が悪化して、焼き付き寿命が短くなった。逆に、上記割合が、５質量％未満となった場合には、増ちょう剤が過少になる為、離油が大きくなり、グリースが外部に漏出し易くなり、やはり焼き付き寿命が短くなった。尚、図６で示した試験結果から明らかな様に、脂環式炭化水素基を有するジウレア化合物を含有する増ちょう剤を使用する場合には、芳香族基を有するジウレア化合物を含有する増ちょう剤を使用する場合に比べて焼き付き寿命を、より向上できた。この理由は、脂環式炭化水素基を有するジウレア化合物を含有する増ちょう剤の場合には、芳香族基を有するジウレア化合物を含有する増ちょう剤の場合よりも少ない添加量で、増粘効果を発揮できる為である。そして、この様に少ない添加量で増粘効果を発揮できる為、同じ混和ちょう度のグリースを得る場合に、基油の量を相対的に多くでき、焼き付き寿命をより向上できた。
【００７２】
尚、本発明の一方向クラッチ内蔵型回転伝達装置は、前述の図１に示した様なオルタネータ用の構造に限定するものではなく、例えば、前述したアイドリングストップ車用を含むスタータ用の構造にも適用できる。例えば、前述の図２〜３に示した構造等の、クランクシャフトの端部に固定した減速大歯車とピニオンとを噛合させる始動装置に組み込む構造等でも実施できる。
【００７３】
本発明の一方向クラッチ内蔵型回転伝達装置は、以上に述べた通り構成され作用する為、オルタネータ用としてもスタータ用としても優れた性能を得られる。又、本発明の場合には、従来よりも広い温度範囲で良好な性能を得る事ができ、しかも一方向クラッチの性能として特に重要である、低温での異音発生の抑制と、摩耗防止とを図れる点で、非常に有用である。
【図面の簡単な説明】
【００７４】
【図１】本発明の対象となる一方向クラッチ内蔵型回転伝達装置である、オルタネータ用一方向クラッチ内蔵型回転伝達装置の１例を示す半部断面図。
【図２】本発明の対象となる別の一方向クラッチ内蔵型回転伝達装置である、スタータ用一方向クラッチ内蔵型回転伝達装置の１例を示す部分切断断面図。
【図３】図２のＡ部拡大図。
【図４】グリースの往復動摩擦試験を行なう状態を示す略図。
【図５】グリースの第一の焼き付き寿命試験の結果として、基油全量に対するジフェニルスルフィドのアルキル置換体の割合と焼き付き寿命との関係を示す線図。
【図６】グリースの第二の焼き付き寿命試験の結果として、グリース全量に対する増ちょう剤の割合と焼き付き寿命との関係を示す線図。
【符号の説明】
【００７５】
１    スリーブ
２    プーリ
３    ローラクラッチ
４    サポート軸受
５    クラッチ用内輪
６    クラッチ用外輪
７    ローラ
８    クラッチ用保持器
９    カム面
１０    凹部
１１    凸部
１２    段差面
１３    外輪軌道
１４    外輪
１５    内輪軌道
１６    内輪
１７    玉
１８    シールリング
１９    凸部
２０    スタータモータ
２１    ハウジング
２２    円筒部
２３    リング部材
２４    ローラクラッチ
２５    リング歯車
２６    駆動軸
２７    太陽歯車
２８    遊星歯車素子
２９    支持軸
３０    キャリア
３１    ピニオン
３２    減速大歯車
３３    遊星歯車減速機構
３４    クラッチ内部空間
３５    軸受内部空間
３６    下部試験片
３７    電熱ヒータ
３８    熱電対
３９    支持部材
４０    玉
４１    電動モータ
４２    カム
４３    板部
４４    ロードセル
【図１】
2005003197.tif 000013
【図２】
2005003197.tif 000014
【図３】
2005003197.tif 000015
【図４】
2005003197.tif 000016
【図５】
2005003197.tif 000017
【図６】
2005003197.tif 000018